(57)【特許請求の範囲】
【請求項１】
液体組成物と着色インクとを併用して被記録媒体上にインクジェット方法でカラー画像を形成する画像形成方法において、
上記液体組成物が、重量平均分子量４００〜１，４００のカチオン性ポリマーを含有し、
上記着色インクとして少なくともマゼンタインクを用い、
該マゼンタインクの色材が、下記化合物３又は化合物６であり、
且つ、該マゼンタインクが、下記式(I)、(II)、(III)及び（IV）で示される色知覚を全て満足するマゼンタ色画像を与えるインクであることを特徴とする画像形成方法。
【数１】
0003825909.tif 000024
［但し、上記式(I)、(II)、(III)及び(IV)において、Ｌ1*、ａ1*、ｂ1*、ａ0*及びｂ0*は、ＣＩＥ  １９７６（Ｌ*ａ*ｂ*）色空間において定義される知覚色度指数であり、ａ1*及びｂ1*は、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１である試験用紙に、液体組成物とマゼンタインクとを併用して作成した画像の知覚色度指数であり、ａ0*及びｂ0*は、上記と同様の試験用紙にマゼンタインクのみを用いて作成した画像の知覚色度指数である。］
0003825909.tif 000025
0003825909.tif 000026
【請求項２】
液体組成物が、更に水と少なくとも１種類の水溶性有機溶剤とを含有する請求項１に記載の画像形成方法。
【請求項３】
マゼンタインクが、更に水と少なくとも１種類の水溶性有機溶剤とを含有する請求項１又は２に記載の画像形成方法。
【請求項４】
被記録媒体が、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１の範囲にある普通紙である請求項１に記載の画像形成方法。
【請求項５】
液体組成物と少なくともマゼンタインクとを併用し、これらをインクジェット方法により被記録媒体上に付与してカラー画像を形成するインクジェット記録方法において、
上記液体組成物が、重量平均分子量４００〜１，４００のカチオン性ポリマーを含有し、
上記マゼンタインクの色材が、下記化合物３又は化合物６であり、
上記マゼンタインクが、下記式(I)、(II)、(III)及び(IV)により示される色知覚を全て満足するマゼンタ色画像を与えるインクであることを特徴とするインクジェット記録方法。
【数２】
0003825909.tif 000027
［但し、上記式(I)、(II)、(III)及び(IV)において、Ｌ1*、ａ1*、ｂ1*、ａ0*及びｂ0*は、ＣＩＥ  １９７６（Ｌ*ａ*ｂ*）色空間において定義される知覚色度指数であり、ａ1*及びｂ1*は、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１である試験用紙に、液体組成物とマゼンタインクとを併用して作成した画像の知覚色度指数であり、ａ0*及びｂ0*は、上記と同様の試験用紙にマゼンタインクのみを用いて作成した画像の知覚色度指数である。］
0003825909.tif 000028
0003825909.tif 000029
【請求項６】
インクジェット方法が、熱エネルギーを利用するインクジェット方法である請求項５に記載のインクジェット記録方法。
【請求項７】
更に、イエローインク、シアンインク及びブラックインクの中から選ばれる着色インクを用い、複数の着色インクを併用する請求項５に記載のインクジェット記録方法。
【請求項８】
液体組成物の被記録媒体上への付与を、マゼンタインクの被記録媒体上への付与に先立って行う請求項５に記載のインクジェット記録方法。
【請求項９】
液体組成物の被記録媒体上への付与を、マゼンタインクの被記録媒体上への付与の後に行う請求項５に記載のインクジェット記録方法。
【発明の詳細な説明】
【０００１】
【発明の属する技術分野】
本発明は、画像の耐水性を良好にするための液体組成物と着色インクとを併用してカラー画像を形成する画像形成方法、及びインクジェット記録方法に関する。更に詳しくは、被記録媒体（特に普通紙）上に、液体組成物と、少なくとも発色が鮮明なマゼンタインクとを併用して画像を形成し、発色性に優れ、且つ耐水性に優れたカラー画像を得る画像形成方法、及びインクジェット記録方法に関する。
【０００２】
【従来の技術】
従来より、インクジェット記録方法は、低騒音、低ランニングコスト、装置が小型化し易い、カラー化が容易等の種々の利点から、汎用のプリンタや複写機等に広く利用されている。しかし、インクジェット記録方法を応用したこれらの記録装置により、所謂、普通紙と呼ばれる被記録媒体上に画像を形成した場合には、得られる印字物の耐水性が劣るという問題があった。
これに対し、この問題を解決し、得られる記録画像の耐水性を良好にするために、インクの吐出に先立ち、被記録媒体上に液体組成物を予め付着させておく方法が提案されている。例えば、特開昭６３−２９９９７１号公報には、１分子当り２個以上のカチオン性基を有する有機化合物を含有する液体組成物を被記録媒体上に付着させた後、アニオン性の染料が含有されたインクで記録する方法が開示されている。又、特開昭６４−９２７９号公報には、コハク酸等を含有した酸性液体組成物を被記録媒体上に付着させた後、アニオン性染料が含有されたインクで記録する方法が開示されている。更に、特開昭６４−６３１８５号公報には、染料を不溶化させる液体組成物を、インクの記録に先立って被記録媒体上に付与するという方法が開示されている。
【０００３】
【発明が解決しようとしている課題】
しかしながら、上記何れの方法も、液体組成物を染料と併用することによって被記録媒体上における染料自体の析出状態を改良し、記録画像の耐水性を向上させるものであるが、これらの方法を用いてカラー画像を形成した場合には、耐水性に優れた画像が得られるものの、染料分子の凝集によって染料自体の発色性の低下を生じ易く、析出した染料が記録紙上で不均一に分布するという現象が起き易い。そして、この現象が生じると、得られる記録画像が暗くなってしまう傾向があり、記録画像の発色性に劣るという問題があった。この問題は、特にマゼンタ色においてその傾向が強く、マゼンタインクを使用してカラー画像を形成する画像形成方法において、看過できない問題であった。
従って、本発明の目的は、被記録媒体（特に、普通紙）に印字した場合に、とりわけ、耐水性に優れると共に発色性にも優れたマゼンタ色の画像が得られる技術に関し、耐水性に優れ、且つ黒ずんだ印象のない発色性に優れた鮮明なカラー画像を形成し得る画像形成方法、特に、インクジェット方法を利用した画像形成方法を提供することにある。
【０００４】
【課題を解決するための手段】
上記目的は以下の本発明によって達成される。即ち、本発明は、液体組成物と着色インクとを併用して被記録媒体上にインクジェット方法でカラー画像を形成する画像形成方法において、上記液体組成物が、重量平均分子量４００〜１，４００のカチオン性ポリマーを含有し、上記着色インクとして少なくともマゼンタインクを用い、該マゼンタインクの色材が、下記化合物３又は化合物６であり、且つ、該マゼンタインクが、下記式(I)、(II)、(III)及び(IV)で示される色知覚を全て満足するマゼンタ色画像を与えるインクであることを特徴とする画像形成方法、及びインクジェット記録方法である。
【数３】
0003825909.tif 000002
［但し、上記式(I)、(II)、(III)及び(IV)において、Ｌ1*、ａ1*、ｂ1*、ａ0*及びｂ0*は、ＣＩＥ  １９７６（Ｌ*ａ*ｂ*）色空間において定義される知覚色度指数であり、ａ1*及びｂ1*は、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１である試験用紙に、液体組成物とマゼンタインクとを併用して作成した画像の知覚色度指数であり、ａ0*及びｂ0*は、上記と同様の試験用紙にマゼンタインクのみを用いて作成した画像の知覚色度指数である。］
0003825909.tif 000003
0003825909.tif 000004
【０００５】
ここで、ＣＩＥ １９７６（Ｌ*ａ*ｂ*）とは、国際照明委員会が、従来のＣＩＥ  ＸＹＺ表色系を変換して１９７６年に推奨したものであり、表色系内の一定距離が、どの色の領域でもほぼ知覚的に等歩度の差を持つように定めた色空間であり、ＪＩＳ  Ｚ  ８７２９「物体色の条件等色度の評価方法」等に用いられている。尚、本発明において使用した測定方法は、ＪＩＳ  Ｚ  ８７２２の記載に準拠したものである。
【０００６】
【発明の実施の形態】
次に、本発明の好ましい実施の形態を挙げて、本発明を更に詳しく説明する。
本発明者らは、上記従来技術の問題点を解決すべく鋭意検討の結果、特に普通紙上に形成した記録画像を、耐水性に優れると共に、黒ずんだ印象のない鮮明な発色性を有するカラー画像とするためには、画像形成に使用する着色インクの中のマゼンタインクを、該インクで形成したマゼンタ色画像の色知覚が、上記式（Ｉ）、（II）、（III）及び（IV）を全て満足するようなインクとすればよいことを知見して本発明に至った。即ち、上記式（Ｉ）、（II）、（III）及び（IV）を満足するマゼンタ色画像を与えることのできるマゼンタインクは、普通紙等の被記録媒体上で、画像の耐水性の向上を目的として使用される液体組成物と混合されたとしても、染料凝集による染料自体の発色性の低下を生じることがなく、析出した染料が記録紙上で均一に分布し易いので形成されるカラー画像の発色性が損なわれることがなく、得られるカラー画像が、耐水性に優れた黒ずんだ印象のない鮮明な画像となる。
【０００７】
本発明の画像形成方法においては、特に、液体組成物中にカチオン性物質が含有されており、且つこれと併用するマゼンタインクを構成する色材が、アニオン性基を有する水溶性染料を含有する態様にが好ましい。即ち、このような液体組成物とマゼンタインクを併用して画像を形成した場合には、これらが被記録媒体上で混合されると、液体組成物中のカチオン性物質とマゼンタインク中のアニオン性物質とがイオン的相互作用により会合を起こし、この会合体が本質的に水不溶性であるので、得られるカラー画像の耐水性は、より完全なものとなる。
【０００８】
以下、本発明の画像形成方法で好ましく使用される着色インク及び液体組成物について、夫々詳しく説明する。
先ず、本発明で使用する着色インクについて説明する。本発明で使用する着色インクは、少なくともマゼンタインクを有し、且つ、該マゼンタインクが、下記式（Ｉ）、（II）、（III）及び（IV）により示される色知覚を全て満足するマゼンタ色画像を与えるものであることを特徴とする。
【数４】
0003825909.tif 000005
［但し、上記式（Ｉ）、（II）、（III）及び（IV）において、Ｌ1*、ａ1*、ｂ1*、ａ0*及びｂ0*は、ＣＩＥ  １９７６（Ｌ*ａ*ｂ*）色空間において定義される知覚色度指数であり、ａ1*及びｂ1*は、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１である試験用紙に、液体組成物とマゼンタインクとを併用して作成した画像の知覚色度指数であり、ａ0*及びｂ0*は、上記と同様の試験用紙にマゼンタインクのみを用いて作成した画像の知覚色度指数である。］
【０００９】
本発明において、上記式中のＬ*、ａ*及びｂ*の値は、例えば、下記のようにして測定する。先ず、液体組成物とマゼンタインクとを用いて普通紙上にマゼンタ色のベタ画像を形成した後、そのカラー画像を１時間放置し、その後、高速分光光度計（村上色彩技術研究所製  ＣＡ−３５）で色度の測定を行って、Ｌ1*、ａ1*及びｂ1*の値を得る。一方、比較画像として、液体組成物を使用しないこと以外は上記と同様にしてマゼンタ色のベタ画像を形成し、その画像の色度測定を上記と同様に行ってＬ0*、ａ0*及びｂ0*を得る。次に、得られたＬ1*、ａ1*及びｂ1*と、Ｌ0*、ａ0*及びｂ0*との値を用い、上記式（Ｉ）の値を求める。
そして、本発明の画像形成方法においては、上記のようにして求めた値を用いて、上記の式（Ｉ）、（II）、（III）及び（IV）の関係をいずれも満足するマゼンタ画像が得られるマゼンタインクと液体組成物との組み合わせを選択し、これらの液体組成物とマゼンタインクとを併用すればよい。
【００１０】
以上のように、本発明の画像形成方法において併用される液体組成物とマゼンタインクとは、上記の式（Ｉ）、（II）、（III）及び（IV）の関係を全て満足するマゼンタ画像が得られるようなマゼンタインクと液体組成物との組み合わせであれば、何ら限定されないが、本発明においては、先に述べたように、特に、液体組成物中にはカチオン性物質が含有されており、且つ、これと併用するマゼンタインク中には、色材としてアニオン性基を有する水溶性染料が含有されている態様とすることが好ましい。
【００１１】
この場合に好ましく使用されるアニオン性基を有する水溶性染料としては、各色のものがあるが、本発明においては、特に、アニオン性基を有するマゼンタ色の水溶性染料を用いることが好ましい。更に、本発明において好適なアニオン性基を有するマゼンタ色の水溶性染料としては、アニオン性基として、例えば、スルホン酸基及びカルボキシル基を有するものが挙げられる。具体的には、下記構造式（Ｖ）で表わされる水溶性染料が挙げられるが、本発明においては、これらの水溶性染料に限定されるわけではなく、従来公知の水溶性染料をいずれも用いることができる。
【００１２】
【化１５】
0003825909.tif 000006
｛但し、式（Ｖ）中、Ｊは、下記の式を示す。
【化１６】
0003825909.tif 000007
又、式（Ｖ）中のＡｒ1、Ａｒ2は夫々アリール基又は置換アリール基であり、Ａｒ1、Ａｒ2の少なくとも一つは、ＣＯＯＭ基を少なくとも一つ有し、Ｒ1、Ｒ2は独立的に、水素原子、アルキル基、置換アルキル基、環状アルキル基、置換環状アルキル基、アルケニル基、又は置換アルケニル基であり、Ｌは２価の連結基であり、ｎは０又は１であり、Ｘは、独立的にカルボニル基又は下記式（ａ）、（ｂ）、（ｃ）のいずれかを表わす。
【化１７】
0003825909.tif 000008
［式（ａ）、（ｂ）、（ｃ）中、Ｚは、独立的にＮＲ3Ｒ4、ＳＲ5又はＯＲ5であり、Ｙは独立的に、水素原子、塩素原子、Ｚ、ＳＲ6又はＯＲ6であり、Ｅは独立的に、塩素原子又はＣＮ基である。又、Ｒ3、Ｒ4、Ｒ5、Ｒ6は夫々独立的に、水素原子、アルキル基、置換アルキル基、アルケニル基、置換アルケニル基、アリール基、置換アリール基、アルアルキル基又は置換アルアルキル基であり、又はＲ3及びＲ4はこれらが結合された窒素原子と一緒に５員環又は６員環を形成する場合がある。］
又、式（Ｖ）で表わされる化合物は、ＣＯＯＭ基よりも多いＳＯ3Ｍ基（Ｍは水素原子、アルカリ金属、アンモニウム又は有機アンモニウム）を有する。｝
【００１３】
又、上記式（Ｖ）中のＭのアルカリ金属としては、例えば、リチウム、ナトリウム、カリウム等が挙げられ、又、有機アンモニウムとしては、例えば、モノ乃至トリメチルアンモニウム、モノ乃至トリエチルアンモニウム、モノ乃至トリエタノールアンモニウム等が挙げられる。
【００１４】
以下に、上記構造式（Ｖ）で示される染料の具体例を示すが、本発明はこれらに限定されるものではない。
【化１８】
0003825909.tif 000009
【００１５】
【化１９】
0003825909.tif 000010
【００１６】
【化２０】
0003825909.tif 000011
【００１７】
【化２１】
0003825909.tif 000012
【００１８】
【化２２】
0003825909.tif 000013
【００１９】
【化２３】
0003825909.tif 000014
【００２０】
【化２４】
0003825909.tif 000015
【００２１】
【化２５】
0003825909.tif 000016
【００２２】
【化２６】
0003825909.tif 000017
【００２３】
【化２７】
0003825909.tif 000018
【００２４】
【化２８】
0003825909.tif 000019
【００２５】
本発明においては、上記に例示したような構造式（Ｖ）で表わされるスルホン酸基及びカルボキシル基を有するマゼンタ色の水溶性染料を色材とするマゼンタインクを使用し、更に、これとカチオン性物質が含有された液体組成物とを併用するように構成すれば、得られるマゼンタ色画像が、下記式（Ｉ）、（II）、（III）及び（IV）で示される色知覚を全て満足するものとなる。この結果、液体組成物と、上記のマゼンタインクを有する着色インクとを用いて被記録媒体上に形成したカラー画像が、充分な耐水性を有すると共に、黒ずんだ印象のない発色性のよい鮮明なものとなる。
【数５】
0003825909.tif 000020
［但し、上記式（Ｉ）、（II）、（III）及び（IV）において、Ｌ1*、ａ1*、ｂ1*、ａ0*及びｂ0*は、ＣＩＥ  １９７６（Ｌ*ａ*ｂ*）色空間において定義される知覚色度指数であり、ａ1*及びｂ1*は、白色度が７８〜８４（ＪＩＳ  Ｐ８１２３準拠、ハンター白色度計を使用）、且つＣＩＥ  １９７６（Ｌ*ａ*ｂ*）色空間において定義される色度が８６≦Ｌ*≦９３、３≦ａ*≦１０、−６≦ｂ*≦１である試験用紙に、液体組成物とマゼンタインクとを併用して作成した画像の知覚色度指数であり、ａ0*及びｂ0*は、上記と同様の試験用紙にマゼンタインクのみを用いて作成した画像の知覚色度指数である。］
【００２６】
本発明で使用されるマゼンタインク中に含有させる上記したような水溶性染料は１種に限定されるものではなく、インク中に２種以上使用して色調を調整してもよい。又、マゼンタインク中におけるこれらの水溶性染料の添加量としては、０．１〜１５重量％、好ましくは、１〜１０重量％とすることが望ましい。
更に、本発明の画像形成方法においては、着色インクとして、上記に説明したようなマゼンタインクが少なくとも用いられる構成とすればよいが、フルカラー画像を形成する場合においては、このようなマゼンタインクと共に、シアンインク及びイエローインクを使用する。より鮮明なフルカラー画像を得るためには、更にブラックインクを用いることが好ましい。この際に用いられるインクの色材としては、従来公知のものをいずれも使用することができる。
【００２７】
本発明で使用されるこれらの着色インクは、水性インクであることが好ましく、例えば、マゼンタインクにおいては、上記したようなアニオン性のマゼンタ色の水溶性染料を色材として用い、該水溶性染料を溶解させるための液媒体とから構成すればよい。この際に使用する液媒体としては、水、又は水と有機溶剤との混合溶媒を用いることが好ましい。本発明において使用する着色インク、特にマゼンタインク用の液媒体の態様として好適なものは、水と少なくとも１種類の水溶性有機溶剤との混合溶媒であって、且つ、該水溶性有機溶剤が、着色インクの乾燥防止効果を有するもである。このようにすれば、例えば、インクジェット方法を用いて画像を形成する場合に好適である。この際、水としては、種々のイオンを含有する一般の水ではなく、脱イオン水を使用することが望ましい。
【００２８】
着色インク、特にマゼンタインクを構成する水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン共重合体；エチレングリコール、プロピレングリコール、トリメチレングリコール、トリエチレングリコール、１，２，６−ヘキサントリオール、ヘキシレングリコール等のアルキレン基が２〜６個の炭素原子を含むアルキレングリコール類；グリセリン；トリメチロールエタン、トリメチロールプロパン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；トリエチレングリコールジメチル（又はエチル）エーテル、テトラエチレングリコール（又はエチル）エーテル等の多価アルコールの低級ジアルキルエーテル類；モノエタノールアミン、ジエタノールアミン、トリエタノールアミン等のアルカノールアミン類；スルホラン、Ｎ−メチル−２−ピロリドン、２−ピロリドン、１，３−ジメチル−２−イミダゾリジノン等が挙げられる。
【００２９】
本発明で使用する着色インク、特にマゼンタインク中に含有される上記した様な水溶性有機溶剤の含有量は、一般的には、インクの全重量の１〜４９重量％、好ましくは２〜３０重量％の範囲とする。又、上記の如き水溶性有機溶剤は、単独でも混合物としても使用することができる。本発明で使用する着色インク、特にマゼンタインク中の水の量としては、５０〜９８重量％、好ましくは６０〜９０重量％程度とするとよい。
【００３０】
又、本発明で使用される着色インク、特にマゼンタインク中には、上記の成分の他、必要に応じて、粘度調整剤、防腐剤、酸化防止剤、ｐＨ調整剤、消泡剤、アセチレングリコールのエチレンオキサイド付加物等のノニオン性界面活性剤、尿素等のノズル乾燥防止剤等の添加剤を適宜配合してもよい。
更に、例えば、マゼンタインクの色材として、前述した様なアニオン性の水溶性染料を用いた場合には、マゼンタインク中に、上記で説明した各種成分の他に、更に、アニオン性の界面活性剤或いはアニオン性の高分子等、アニオン性化合物を添加してもよい。又、この場合に、両性界面活性剤をその等電点以下のｐＨに調整して含有させてもよい。
【００３１】
上記のアニオン性界面活性剤の例としては、カルボン酸塩型、硫酸エステル型、スルホン酸塩型、隣酸エステル型等、一般に使用されているものが挙げられ、本発明においては、何れも好ましく使用することができる。又、アニオン性の高分子物質の例としては、アルカリ可溶型の樹脂、具体的には、ポリアクリル酸ソーダ、或いは高分子物質の一部にアクリル酸を共重合したもの等を挙げることができる。本発明は、勿論これらに限定されない。
【００３２】
本発明で使用する着色インク、特にマゼンタインクの物性の好適な範囲としては、２５℃付近でのｐＨが３〜１２、好ましくはｐＨ５〜１１であり、表面張力が１０〜６０ｄｙｎ／ｃｍ、好ましくは１５〜５０ｄｙｎ／ｃｍであり、粘度が１〜３０ｃｐｓ、好ましくは１〜１０ｃｐｓのものである。
【００３３】
次に、本発明の画像形成方法において、上記したマゼンタインクを有する着色インクと共に使用する液体組成物について説明する。
先に述べたように、本発明で使用する液体組成物は、得られる画像の耐水性向上を目的として使用するものであって、マゼンタインクが、先に挙げたようなアニオン性基を有する水溶性染料等のアニオン性物質を有する場合には、カチオン性物質が含有されたものを用いることが好ましい。
【００３４】
又、この際に使用する液体組成物中に含有させるカチオン性物質としては、重量平均分子量が、４００〜１，４００の範囲にあるカチオン性ポリマーが好ましい。その理由としては、重量平均分子量４００〜１，４００のカチオン性ポリマーは、水溶性が非常に高く、従って、ポリマー水溶液の粘度が低いので、例えば、インクジェット方法によって画像形成を行なう場合に、ノズル先端の水分の蒸発が起こったとしても液体組成物がノズル先端に固着することが生じにくく、更に、液体組成物の初期粘度や蒸発粘度を低く抑えることができるので、インクジェット適性に優れた液体組成物を容易に得ることができるらからである。これらのことによって、インクジェット方法によって画像形成する際に、着色インクと共に液体組成物を用いた場合においても、インクジェット記録時におけるノズル先端の耐固着性、吐出の周波数応答特性、スタートアップ特性等に対する信頼性を確保できる。
【００３５】
本発明で使用し得るカチオン性ポリマーの具体例としては、例えば、ポリアリルアミン、ポリアミンスルホン及びこれらの共重合体、ポリビニルアミン等が挙げられる。又、これらの中では特に、分子量の調整及び分子量分布の調整が容易であるポリアリルアミンが好適である。本発明で述べる重量平均分子量とは、ＧＰＣによって、ポリエチレングリコールを標準として測定した重量平均分子量のことである。
【００３６】
本発明の画像形成方法で使用する液体組成物は、上述した様なカチオン性物質に加えて、更に水と少なくとも１種類の水溶性有機溶剤とから構成することが好ましい（以下、「水性媒体」とも呼ぶ）。例えば、上記カチオン性ポリマーの如きカチオン性物質を水性媒体に溶解して調製すればよいが、この場合の水性媒体中におけるカチオン性物質の濃度は、通常約１〜２０重量％、好適には約２〜６重量％の範囲とすることが好ましい。即ち、カチオン性物質の濃度が高過ぎると、得られる液体組成物の粘度が高くなり過ぎて、例えば、インクジェット記録方法を用いて画像を形成する場合に好ましくない影響が生じる。一方、カチオン性物質の濃度が低過ぎると、普通紙等の被記録媒体に形成したカラー画像に充分な耐水性を付与できない場合が生じる。
【００３７】
本発明で使用する液体組成物を作成する場合に用いる先に挙げたようなカチオン性物質を容易に溶解させるための水性媒体としては、水及び水溶性有機溶剤の混合溶媒を用いることが好ましい。この際、水としては、着色インクの場合と同様に、種々のイオンを含有する一般の水ではなく、イオン交換水（脱イオン水）を使用するのが好ましい。又、水溶性有機溶剤も、先に説明した着色インクの場合に挙げたと同様の物質を用いることができる。
【００３８】
本発明で使用する液体組成物を構成する場合には、水溶性有機溶剤の含有量を、一般的には、液体組成物の全量に対して３〜５０重量％、好ましくは３〜４０重量％の範囲となるようにすることが好ましい。又、水の含有量は、液体組成物の全量に対して、１０〜９０重量％、好ましくは３０〜８０重量％の範囲となるように使用することが好ましい。
【００３９】
更に、本発明においては、液体組成物中に、炭素数８以上のアミンを含有させて構成することがより好ましい。そして、このようなアミンの中でも、特に、第４級アミンを用いることが好ましい。即ち、本発明者らの検討によれば、これらのアミンを液体組成物中に含有させることによって、理由は定かではないが、例えば、インクジェット記録方法を用いて画像を形成した場合に、インクジェット記録装置における発熱ヘッドを著しく長寿命化することができ、長期間安定して、液体組成物及び着色インクの吐出を確保することが可能となる。
【００４０】
この際に使用し得る第４級アミンとしては、例えば、第４級アンモニウム塩型の化合物、具体的には、ラウリルトリメチルアンモニウムクロライド、ラウリルジメチルベンジルアンモニウムクロライド、ベンジルトリブチルアンモニウムクロライド、塩化ベンザルコニウム等；ピリジニウム塩型化合物、具体的には、セチルピリジニウムクロライド、セチルピリジニウムブロマイド等が挙げられる。本発明においては、これらの中でも、特に、塩化ベンザルコニウムが好適である。更に、液体組成物中におけるこれらの第４級アミンの濃度を、約０．１〜５重量％、好適には、約０．２〜２重量％の範囲とすることが好ましい。
【００４１】
上記のようにして調製される液体組成物は、ｐＨを３〜１０の範囲とすることが好ましく、更に好ましくはｐＨ５〜９の範囲とする。このようなｐＨ範囲とするためのｐＨ調整剤としては、例えば、酢酸、塩酸、パラトルエンスルホン酸、乳酸、プロピオン酸等の酸が挙げられるが、本発明においては、これらに限定されない。
又、本発明で使用する液体組成物の好ましい表面張力の範囲としては、２５〜５０ｄｙｎ／ｃｍ、更に好ましくは３０〜４０ｄｙｎ／ｃｍである。更に、液体組成物の好ましい粘度の範囲としては、１．３〜５ｃｐｓ、更に好ましくは１．５〜３ｃｐｓである。
【００４２】
本発明の画像形成方法では、上記で説明したような液体組成物と、特定の色調のマゼンタ画像を与えるマゼンタインクを少なくとも有する着色インクとを併用し、被記録媒体上にカラー画像を形成するが、この際に使用する被記録媒体は、特に限定されるものではない。しかし、本発明の画像形成方法は、特に、従来から使用されている、コピー用紙、ボンド紙等のいわゆる普通紙に画像を形成した場合に、本発明の効果が顕著に現れる。即ち、液体組成物とマゼンタインクとを併用して普通紙に画像を形成する場合には、特に、耐水性に優れ、且つ黒ずんだ印象のない発色性にも優れた鮮明な画像を得ることが難しいが、本発明の画像形成方法によれば、上記した優れた画像を容易に得ることが可能となる。特に、白色度が７８〜８４（ハンター白色度計：ＪＩＳ  Ｐ８１２３準拠）、且つＣＩＥ１９７６（Ｌ*ａ*ｂ*）色空間において定義される色度が８６≦Ｌ*≦９３、３≦ａ*≦１０、−６≦ｂ*≦１の範囲にある通常用いられている白色の普通紙を用いた場合に、その顕著な効果が得られる。勿論、本発明の画像形成方法は、例えば、インクジェット記録用に特別に作成されたコート紙やＯＨＰ用透明フィルムも好適に使用できる。更に、一般の上質紙や光沢紙にも好適に使用することができる。
【００４３】
本発明の画像形成方法においては、液体組成物とマゼンタインクとを併用して、上記に挙げたような被記録媒体上にカラー画像を形成するが、その際の画像の形成方法としては、いずれの方法であってもよい。しかし、特に、この場合に、インクジェット記録方法を用いて画像を形成することが好ましい。
又、画像を形成する際に被記録媒体上へ液体組成物とマゼンタインクとを付与する順序も、液体組成物が先であっても、マゼンタインクが先であってもいずれでもよい。即ち、本発明においては、これらを付与する順番や方法によらず、液体組成物を、マゼンタインクと共に被記録媒体上に付与することによって、着色インク、特に、マゼンタインクにより形成されるカラー画像の良好な文字品位と定着性の向上が図られ、更にブリーディング防止と画像の耐水性の向上が達成される。これは、被記録媒体上において、例えば、液体組成物中のカチオン性物質と着色インク中のアニオン性物質とが併存し、混合されることによって凝集体が形成され、上記した優れた効果が得られるためと考えられる。
【００４４】
しかしながら、画像濃度及び定着性を更に向上させるという観点から、例えば、インクを付与した後に、液体組成物を付与し、更にそれに続いて再度インクの付与を行うことがより好ましい。又、例えば、液体組成物の付与を着色インク、特に、マゼンタインクの付与に先立って行う場合に、液体組成物を被記録媒体に付着せしめてから、インクを付着させるまでの時間についても特に制限されるものではないが、本発明を一層効果的なものにするためには、数秒以内、特に好ましくは１秒以内とすることが好ましい。これは、液体組成物と着色インクとを逆の順序で被記録媒体上に付与した場合についても同様である。
【００４５】
着色インク及び液体組成物を被記録媒体上に付着せしめる方法としては、先に述べたようにインクジェット記録方法を用いることが好ましいが、インクジェット記録方法としては、種々のインクジェット方式を用いることができる。本発明において特に好ましいのは、熱エネルギーを利用するインクジェット記録方法であって、例えば、熱エネルギーによって発生した気泡を用いて液滴を吐出する、いわゆるオンデマンド型のバブルジェット方式を用いることが好ましい。
【００４６】
次に、本発明において、インクジェット記録方法を用いる場合に好適なインクジェット記録装置の一例を以下に説明する。その装置の主要部であるヘッド構成例を図１、図２及び図３に示す。図１は、インク流路に沿ったヘッド１３の断面図であり、図２は図１のＡ−Ｂ線での断面図である。
【００４７】
図１及び図２中のヘッド１３は、インクを通す溝１４を有するガラス、セラミック、又はプラスチック板等と感熱記録に用いられる発熱抵抗体を有する発熱ヘッド１５（図では薄膜ヘッドが示されているが、これに限定されるものではない）とを接着して得られる。発熱ヘッド１５は、酸化シリコン等で形成される保護膜１６、アルミニウム電極１７−１及び１７−２、ニクロム等で形成される発熱抵抗体層１８、蓄熱層１９、及びアルミナ等で形成される放熱性のよい基板２０よりなっている。
【００４８】
図１に示すように、記録インク２１は、吐出オリフィス２２まで来ており、圧力Ｐによりメニスカス２３を形成している。ここで、アルミニウム電極１７−１及び１７−２に電気信号が加わると、発熱ヘッド１５のｎで示される領域が急激に発熱し、ここに接しているインク２１に気泡が発生し、その圧力でメニスカス２３が突出し、吐出オリフィス２２よりインク小滴２４となり、被記録媒体２５に向かって飛翔する。
図３は、図１に示したノズルを多数並べた記録ヘッドの概略図を示す。該記録ヘッドは、多数の流路を有するガラス板等２７と、図１において説明したと同様の発熱ヘッド２８とを密着して作られる。
【００４９】
図４に、該ヘッドを組み込んだインクジェット記録装置の一例を示す。
図４において、６１はワイピング部材としてのブレードで、その一端はブレード保持部材によって保持されて固定端となり、カレンチレバーの形態をなす。ブレード６１は記録ヘッド６５による記録領域に隣接した位置に配置され、又、本例の場合、記録ヘッド６５の移動経路中に突出した形態で保持される。
【００５０】
６２は記録ヘッド６５の吐出口面のキャップであり、ブレード６１に隣接するホームポジションに配設され、記録ヘッド６５の移動方向と垂直な方向に移動して、インク吐出口面と当接し、キャッピングを行う構成を備える。更に６３は、ブレード６１に隣接して設けられるインク吸収体であり、ブレード６１と同様、記録ヘッド６５の移動経路中に突出した形態で保持される。前記ブレード６１、キャップ６２及びインク吸収体６３によって吐出回復部６４が構成され、ブレード６１、及びインク吸収体６３によってインク吐出口面に水分、塵等の除去が行われる。
【００５１】
６５は、吐出エネルギー発生手段を有し、吐出口を配した吐出口面に対向する被記録媒体にインクを吐出して記録を行う記録ヘッド、６６は、記録ヘッド６５を搭載してその移動を行うためのキャリッジである。キャリッジ６６は、ガイド軸６７と慴動可能に係合し、キャリッジ６６の一部は、モーター６８によって駆動されるベルト６９と接続（図示せず）している。これによりキャリッジ６６はガイド軸６７に沿った移動が可能となり、記録ヘッド６５による記録領域及びその隣接した領域の移動が可能となる。
５１は被記録媒体を挿入するための給送部、５２はモーター（図示せず）により駆動される送りローラーである。これらの構成によって記録ヘッド６５の吐出口面と対向する位置へ被記録媒体が給送され、記録が進行するにつれて、排出ローラー５３を配した排出部へ排出される。
【００５２】
上記構成において記録ヘッド６５が記録終了等でホームポジションに戻る際、吐出回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出口面に当接してキャッピングを行う場合、キャップ６２は記録ヘッドの移動経路中に突出するように移動する。
【００５３】
記録ヘッド６５がホームポジションから記録開始位置へ移動する場合、キャップ６２及びブレード６１は前記したワイピング時の位置と同一の位置にある。この結果、この移動においても記録ヘッド６５の吐出口面はワイピングされる。
前記の記録ヘッド６５のホームポジションへの移動は、記録終了時や吐出回復時ばかりではなく、記録ヘッド６５が記録のために記録領域を移動する間に所定の間隔で記録領域に隣接したホームポジションへ移動し、この移動に伴って上記ワイピングが行われる。
【００５４】
図５は、ヘッドにインク供給部材、例えば、チューブを介して供給されるインクを収容したインクカートリッジ４５の一例を示す図である。ここで４０は供給用インクを収容したインク収容部、例えば、インク袋であり、その先端にはゴム製の栓４２が設けられている。この栓４２に針（図示せず）を挿入することにより、インク袋４０中のインクをヘッドに供給可能ならしめる。４４は廃インクを受容するインク吸収体である。
インク収容部としては、インクとの接液面がポリオレフィン、特にポリエチレンで形成されているものが好ましい。
【００５５】
本発明で使用されるインクジェット記録装置としては、前記の如きヘッドとインクカートリッジが別体となったものに限らず、図６に示す如きそれらが一体となったものも好適に用いられる。
図６において、７０は記録ユニットであって、この中にインクを収容したインク収容部、例えば、インク吸収体が収納されており、かかるインク吸収体中のインクが複数のオリフィスを有するヘッド部７１からインク滴として吐出される構成になっている。インク吸収体の材料としては、例えば、ポリウレタンを用いることができる。７２は記録ユニット内部を大気に連通させるための大気連通口である。
【００５６】
この記録ユニット７０は、図４で示す記録ヘッドに代えて用いられるものであって、キャリッジ６６に対し着脱自在になっている。尚、本発明に使用する記録装置において、上記ではインクに熱エネルギーを作用させてインク液滴を吐出するインクジェット記録装置を例に挙げたが、そのほか圧電素子を使用するピエゾ方式のインクジェット記録装置でも同様に利用できる。
【００５７】
本発明の画像形成方法によってカラー画像を形成する場合には、例えば、図３に示した記録ヘッドを５つキャリッジ上に並べた記録装置を使用する。図７はその一例である。８１、８２、８３、８４は、それぞれイエロー、本発明で使用されるマゼンタ、シアン及びブラック各色のインクを吐出するための記録ヘッドである。又、８５は液体組成物を吐出するヘッドである。該ヘッドは前記した記録装置に配置され、記録信号に応じて、各色のインクを吐出する。又、液体組成物は、例えば、それに先立ち、少なくともインクが被記録媒体に付着する画像形成部分に付着させておく。
【００５８】
図７では記録ヘッドを５つ使用した例を示したが、これに限定されるものではなく、図８に示したように１つの記録ヘッドでイエロー、本発明で使用されるマゼンタ、シアン及びブラック、液体組成物を液流路を分けて行う場合も好ましい。勿論、各インクと液体組成物の記録順が、上記した順序と逆になるようなヘッドの配置をとってもよい。
【００５９】
本発明で好適に使用されるインクジェット記録ヘッドの配置の具体的な構成例としては、図９〜１１に示したような３種が挙げられる。
図９〜１１において、Ｙ、Ｍ、Ｃ及びＢｋは、夫々イエロー、マゼンタ、シアン及びブラックの各色のインクを吐出するための記録ヘッドである。又、Ｓは液体組成物を吐出するための記録ヘッドである。各記録ヘッドは、図７で示したと同様にキャリッジ上に並べられる（構成例によって異なる）。各記録ヘッドは前記したような記録装置に配置され、記録信号に応じて、各色のインクを吐出する。又、液体組成物はそれに先立ち或いは後に、少なくとも各色のインクが被記録媒体に付着する画像領域に付着させる。尚、各記録ヘッドは矢印（１）の方向にキャリッジによって移動し、被記録材は矢印（２）方向に給紙ローラー等によって移動する。
【００６０】
先ず、図９の第１の構成例では、Ｓ、Ｂｋ、Ｙ、Ｍ、Ｃ用の記録ヘッドが並列にキャリッジ上に配置されている。図１０の第２の構成例は、並列に配置された液体組成物及びブラックインク用の記録ヘッドと、これらの記録ヘッドとは並列で、且つ互いに直列に配置されたＹ、Ｍ、Ｃ用の記録ヘッドとからなる。ここで、各記録ヘッドの１ドットあたりの吐出体積は、必ずしも同一である必要はなく、液体組成物の組成等により、記録適正が最適になるように、各記録ヘッドの１ドットあたりの吐出体積（Ｖｄ）を調整してもよい。好適には、Ｓ、Ｙ、Ｍ、ＣのＶｄを同一にしてＢｋをその２倍とする構成がよいが、これに限定されない。更に、図１１に示した第３の構成例では、吐出体積が同一のＢｋ、Ｓ、Ｂｋ、Ｙ、Ｍ、Ｃ用の記録ヘッドが並列にキャリッジ上に配置されており、ブラックインクの吐出量を、他の液体組成物及びカラーインクの吐出量の倍量とすることができる。尚、図１１の構成例においても、Ｓ、Ｂｋ、Ｙ、Ｍ、Ｃの吐出体積（Ｖｄ）は必ずしも同一である必要はない。
【００６１】
又、本発明においては、画像形成領域における液体組成物と着色インク、特に、マゼンタインクとの被記録媒体の単位面積当たりの付与量の比は、１：１であってもよいが、液体組成物：着色インク＝１：１０〜８：１０としてもよい。このようにすれば、得られる画像のベタ均一性が達成される。尚、画像形成領域における被記録媒体上の単位面積当たりの液体組成物と着色インクの付与量の比の調整は、具体的には、例えば、被記録媒体上に付着させる液体組成物の画素数が、被記録媒体上に付着する着色インクの画素数の１０〜８０％の範囲となるように制御する、液体組成物と着色インクの付与を共にインクジェット記録方式で行い、その際に液体組成物の吐出量を着色インクの吐出量よりも小さくなるように制御する、或いはこれらを組み合わせて、被記録媒体上に付着させる液体組成物の画素数が被記録媒体上に付着する着色インクの画素数の１０〜８０％の範囲となるように制御し、且つ液体組成物と着色インクの被記録媒体上への付与を共にインクジェット記録方式によって行い、その際の液体組成物の吐出量を着色インクの吐出量よりも小さくする方法等によって行う。
【００６２】
【実施例】
以下に実施例及び比較例を用いて、更に本発明を具体的に説明する。尚、文中「部」及び「％」とあるのは、特に示さない限り重量基準とする。
実施例１
先ず、下記の成分を混合溶解した後、更にポアサイズが０．２２μｍのメンブレンフィルター（商品名：フロロポアフィルター、住友電工製）にて加圧ろ過し、本実施例の着色インク及び液体組成物を得た。
【００６３】
（着色インク１）
・前記に挙げた例示化合物３の染料                            ２．５部
・グリセリン                                                ７．５部
・ジエチレングリコール                                      ７．５部
・尿素                                                      ７．５部
・水                                                    ７４．８５部
・水酸化ナトリウム                                        ０．０５部
・アセチレノールＥＨ（川研ファインケミカル製）              ０．１部
（液体組成物１）
・ポリアリルアミン（重量平均分子量Ｍｗ＝６００）                ４部
・塩化ベンザルコニウム（三洋化成製  Ｇ−５０）                  １部
・グリセリン                                                    ５部
・チオジグコール                                                ５部
・酢酸                                                          ３部
・水                                                          ８３部
【００６４】
上記の様にして得られた着色インク１と液体組成物１とを用いて、キヤノン製ＰＢ用紙（複写機用とインクジェット記録用の共用紙）に記録を行った。使用したインクジェット記録装置としては、図４に示したと同様の構成の記録装置を用い、図７に示した５つの記録ヘッドの内の２つの記録ヘッドを用いて画像を形成した。この際、液体組成物を先打ちして先ず記録紙上に付着させ、その後着色インクを付着させる構成とした。又、記録紙［キヤノン製ＰＢ用紙、白色度＝７８．６（ハンター白色度計：ＪＩＳ  Ｐ８１２３準拠）、色度（Ｌ*、ａ*、ｂ*）＝（８９．２、６．８、−２．４）］上への液体組成物を付与する位置が、記録紙上へ着色インクが付与される位置と正確に重なる様に調整した。
尚、ここで用いた記録ヘッドは、３６０ｄｐｉの記録密度を有し、駆動周波数は５ｋＨｚとした。又、１ドットあたりの吐出体積は着色インクは８０ｐｌ／ｄｏｔ、液体組成物は４０ｐｌ／ｄｏｔのヘッドを使用した。又、印字の際の環境条件は２５℃／５５％ＲＨに統一してある。
【００６５】
実施例２
（着色インク２）
・前記に挙げた例示化合物６の染料                            ２．５部
・グリセリン                                                ７．５部
・ジエチレングリコール                                      ７．５部
・尿素                                                      ７．５部
・水                                                    ７４．８５部
・水酸化ナトリウム                                        ０．０５部
・アセチレノールＥＨ（川研ファインケミカル製）              ０．１部
【００６６】
実施例１と同様に作成した上記成分からなる本実施例の着色インク２と実施例１で作成した液体組成物１を用いて、実施例１と同様の条件でキヤノン製ＰＢ用紙に記録を行った。
【００６７】
比較例１
（着色インク３）
・Ｃ．Ｉ．アシッドレッド９４                                ２．５部
・グリセリン                                                ７．５部
・ジエチレングリコール                                      ７．５部
・尿素                                                      ７．５部
・水                                                    ７４．８５部
・アセチレノールＥＨ（川研ファインケミカル製）              ０．１部
・水酸化ナトリウム                                        ０．０５部
【００６８】
実施例１と同様に作成した上記成分からなる本比較例の着色インク３と実施例１で作成した液体組成物１を用いて、実施例１と同様の条件でキヤノン製ＰＢ用紙（複写機用とインクジェット記録用の共用紙）に記録を行った。
【００６９】
［評価項目］
評価方法及び評価基準は以下の通りとした。又、得られた結果を後記の表１に示した。
１．耐水性
各着色インクと液体組成物とを夫々用いて、実施例１で使用したと同様のキヤノン製ＰＢ用紙に、２５．４ｍｍ四方のベタ部（３６０ｄｐｉ）を印字して、印字物を１時間放置後、印字濃度をマクベスＲＤ９１５（商品名：マクベス社製）にて測定を行う。その後、印字物を水道水を満たした容器に３分間浸漬した後、放置、乾燥して再度印字濃度を測定し、印字物濃度の残存率を求め耐水性の評価とした。
【００７０】
【数６】
0003825909.tif 000021
○：印字物濃度の残存率が９５％以上。
△：印字物濃度の残存率が８５％以上９５％未満。
×：印字物濃度の残存率が８５％未満。
【００７１】
２．色調
各着色インクと液体組成物とを夫々用いて、、実施例１で使用したと同様のキヤノン製ＰＢ用紙に、２５．４ｍｍ四方のベタ部（３６０ｄｐｉ）を印字して、印字物を１時間放置後、目視にて下記の基準で評価した。
○：印字物濃度が均一で、且つ鮮やかな発色
△：印字物濃度が不均一であるが、鮮やかな発色
×：印字物濃度が不均一で、且つくすんだ発色
【００７２】
３．式（Ｉ）の値
各着色インクと液体組成物とを夫々用いて、、実施例１で使用したと同様のキヤノン製ＰＢ用紙に、２５．４ｍｍ四方のベタ部（３６０ｄｐｉ）を印字して、印字物を１時間放置し、該印字物について高速分光光度計（村上色彩技術研究所製ＣＡ−３５）にて色度の測定を行って、Ｌ1*、ａ1*及びｂ1*を得た。
又、比較画像として、各着色インクのみを夫々用いてキヤノン製ＰＢ用紙に２５．４ｍｍ四方のベタ部（３６０ｄｐｉ）を印字して、印字物を１時間放置し、上記と同様に高速分光光度計（村上色彩技術研究所製ＣＡ−３５）にて色度の測定を行い、Ｌ0*、ａ0*及びｂ0*を得た。
上記で得られたＬ1*、ａ1*及びｂ1*と、Ｌ0*、ａ0*及びｂ0*より
【数７】
0003825909.tif 000022
の値を求めた。
【００７３】
【表１】
表１：評価結果
0003825909.tif 000023
【００７４】
【発明の効果】
以上説明したように、本発明によれば、被記録媒体として普通紙を用いた場合においても、得られるカラー画像が、耐水性に優れると共に、液体組成物を使用しているにもかかわらず、黒ずんだ印象のない極めて発色性に優れた鮮明なマゼンタ色の画像が提供される。
【図面の簡単な説明】
【図１】インクジェット記録装置のヘッドの縦断面図。
【図２】インクジェット記録装置のヘッドの横断面図。
【図３】図１に示したヘッドをマルチ化したヘッドの外観斜視図。（インクジェット記録装置のヘッドの外観斜視図。）
【図４】インクジェット記録装置の一例を示す斜視図。
【図５】インクカートリッジの縦断面図。
【図６】記録ユニットの一例を示す斜視図。
【図７】複数の記録ヘッドが配列した記録部を示した斜視図。
【図８】本発明に使用する別の記録ヘッドの斜視図。
【図９】記録ヘッドの第１の構成例。
【図１０】記録ヘッドの第２の構成例。
【図１１】記録ヘッドの第３の構成例。
【符号の説明】
１３：ヘッド
１４：インク溝
１５：発熱ヘッド
１６：保護膜
１７−１、１７−２：アルミニウム電極
１８：発熱抵抗体層
１９：蓄熱層
２０：基板
２１：インク
２２：吐出オリフィス（微細孔）
２３：メニスカス
２４：インク小滴
２５：被記録媒体
２６：マルチ溝
２７：ガラス板
２８：発熱ヘッド
４０：インク袋
４２：栓
４４：インク吸収体
４５：インクカートリッジ
５１：給紙部
５２：紙送りローラー
５３：排紙ローラー
６１：ブレード
６２：キャップ
６３：インク吸収体
６４：吐出回復部
６５：記録ヘッド
６６：キャリッジ
６７：ガイド軸
６８：モーター
６９：ベルト
７０：記録ユニット
７１：ヘッド部
７２：大気連通口
８１：イエローインク記録ヘッド
８２：マゼンタインク記録ヘッド
８３：シアンインク記録ヘッド
８４：ブラックインク記録ヘッド
８５：液体組成物記録ヘッド
【図１】
0003825909.tif 000030
【図２】
0003825909.tif 000031
【図３】
0003825909.tif 000032
【図４】
0003825909.tif 000033
【図５】
0003825909.tif 000034
【図６】
0003825909.tif 000035
【図７】
0003825909.tif 000036
【図８】
0003825909.tif 000037
【図９】
0003825909.tif 000038
【図１０】
0003825909.tif 000039
【図１１】
0003825909.tif 000040